【手続補正書】
【提出日】平成16年8月17日(2004.8.17)
【手続補正１】
【補正対象書類名】明細書
【補正対象項目名】特許請求の範囲
【補正方法】変更
【補正の内容】
【特許請求の範囲】
【請求項１】
突合せ状態又は重合せ状態に配置した２個の接合部材（１）（２）の突合せ部（３）又は重合せ部に挿入される回転するプローブ（12）を有する接合工具（10）と、
前記接合工具（10）のプローブ（12）に対向して配置されるとともに、前記接合部材（１）（２）の突合せ部（３）又は重合せ部の裏面に当接する当接面を有する受け具（20）と、
突合せ部（３）又は重合せ部の裏面が前記受け具（20）の当接面に当接支持されるとともに、突合せ部（３）又は重合せ部に前記回転するプローブ（12）が挿入された態様で、前記受け具（20）とプローブ（12）との間に介在配置された前記接合部材（１）（２）を、突合せ部（３）又は重合せ部が順次プローブ（12）を通過するように移動させる駆動装置（25）（26）とを備え、
前記接合部材（１）（２）の移動に伴い、プローブ（12）との接触部を摩擦熱にて順次軟化させ撹拌して両接合部材（１）（２）を突合せ部（３）又は重合せ部において接合一体化するものとなされた摩擦撹拌接合装置であって、
前記受け具（20）の当接面が平坦面（21a ）であることを特徴とする摩擦撹拌接合装置。
【請求項２】
前記受け具（20）の当接面における接合部材（１）（２）の移動方向（８）に沿う長さ（Ｗ）は、１０〜２５ｍｍの範囲である請求項１記載の摩擦撹拌接合装置。
【請求項３】
突合せ状態又は重合せ状態に配置した２個の接合部材（１）（２）の突合せ部（３）又は重合せ部に挿入される回転するプローブ（12）を有する接合工具（10）と、
前記接合工具（10）のプローブ（12）に対向して配置されるとともに、前記接合部材（１）（２）の突合せ部（３）又は重合せ部の裏面に当接する当接面を有する受け具（20）と、
突合せ部（３）又は重合せ部の裏面が前記受け具（20）の当接面に当接支持されるとともに、突合せ部（３）又は重合せ部に前記回転するプローブ（12）が挿入された態様で、前記受け具（20）とプローブ（12）との間に介在配置された前記接合部材（１）（２）を、突合せ部（３）又は重合せ部が順次プローブ（12）を通過するように移動させる駆動装置（25）（26）とを備え、
前記受け具（20）は、周面を当接面とした受けローラ（22）からなり、
前記接合部材（１）（２）の移動に伴い、プローブ（12）との接触部を摩擦熱にて順次軟化させ撹拌して両接合部材（１）（２）を突合せ部（３）又は重合せ部において接合一体化するものとなされた摩擦撹拌接合装置であって、
前記受けローラ（22）は、接合部材（１）（２）の突合せ部（３）又は重合せ部の裏面におけるプローブ（12）の接合部材移動方向前方側の軟化部境界位置（6a）から周面への垂線の長さ（ε）が０．１５ｍｍ以下になるような直径（Ｄ）を有していることを特徴とする摩擦撹拌接合装置。
【請求項４】
突合せ状態又は重合せ状態に配置した２個の接合部材（１）（２）の突合せ部（３）又は重合せ部に挿入される回転するプローブ（12）を有する接合工具（10）と、
前記接合工具（10）のプローブ（12）に対向して配置されるとともに、前記接合部材（１）（２）の突合せ部（３）又は重合せ部の裏面に当接する当接面を有する受け具（20）と、
突合せ部（３）又は重合せ部の裏面が前記受け具（20）の当接面に当接支持されるとともに、突合せ部（３）又は重合せ部に前記回転するプローブ（12）が挿入された態様で、前記受け具（20）とプローブ（12）との間に介在配置された前記接合部材（１）（２）を、突合せ部（３）又は重合せ部が順次プローブ（12）を通過するように移動させる駆動装置（25）（26）とを備え、
前記受け具（20）は、周面を当接面とした受けローラ（23）からなり、
前記接合部材（１）（２）の移動に伴い、前記プローブ（12）との接触部を摩擦熱にて順次軟化させ撹拌して両接合部材（１）（２）を突合せ部（３）又は重合せ部において接合一体化するものとなされた摩擦撹拌接合装置であって、
前記受けローラ（23）が、前記プローブ（12）の配置位置に対して接合部材（１）（２）の移動方向前方側に相対的にずれた位置に配置されていることを特徴とする摩擦撹拌接合装置。
【請求項５】
突合せ状態又は重合せ状態に配置した２個の接合部材（１）（２）の突合せ部（３）又は重合せ部に挿入される回転するプローブ（12）を有する接合工具（10）と、
前記接合工具（10）のプローブ（12）に対向して配置されるとともに、前記接合部材（１）（２）の突合せ部（３）又は重合せ部の裏面に当接する当接面を有する受け具（20）と、
前記受け具（20）と前記プローブ（12）との間に介在配置された前記接合部材（１）（２）を移動させる駆動装置（25）（26）とを準備し、
前記受け具（20）の当接面は平坦面（21a）であり、
接合部材（１）（２）の突合せ部（３）又は重合せ部の裏面が前記受け具（20）の当接面に当接支持されるとともに、突合せ部（３）又は重合せ部に前記回転するプローブ（12）が挿入された態様で、前記受け具（20）と前記プローブ（12）との間に介在配置された接合部材（１）（２）を、突合せ部（３）又は重合せ部が順次プローブ（12）を通過するように前記駆動装置（25）（26）によって移動させることにより、両接合部材（１）（２）を突合せ部（３）又は重合せ部において接合一体化することを特徴とする摩擦撹拌接合法。
【請求項６】
前記受け具（20）の当接面における接合部材（１）（２）の移動方向（８）に沿う長さ（Ｗ）は、１０〜２５ｍｍの範囲である請求項５記載の摩擦撹拌接合法。
【請求項７】
接合部材（１）（２）の突合せ部（３）又は重合せ部に前記回転するプローブ（12）が、該プローブ（12）の先端（12a）と前記受け具（20）の当接面との距離（δ）が０．０５〜０．４ｍｍの範囲になるように挿入された態様で、接合部材（１）（２）を前記駆動装置（25）（26）によって移動させる請求項５又は６記載の摩擦撹拌接合法。
【請求項８】
突合せ状態又は重合せ状態に配置した２個の接合部材（１）（２）の突合せ部（３）又は重合せ部に挿入される回転するプローブ（12）を有する接合工具（10）と、
前記接合工具（10）のプローブ（12）に対向して配置されるとともに、前記接合部材（１）（２）の突合せ部（３）又は重合せ部の裏面に当接する当接面を有する受け具（20）と、
前記受け具（20）と前記プローブ（12）との間に介在配置された前記接合部材（１）（２）を移動させる駆動装置（25）（26）とを準備し、
前記受け具（20）は、周面（22a）を当接面とした受けローラ（22）からなるとともに、接合部材（１）（２）の突合せ部（３）又は重合せ部の裏面におけるプローブ（12）の接合部材移動方向前方側の軟化部境界位置（6a）から周面（22a）への垂線の長さ（ε）が０．１５ｍｍ以下になるような直径（Ｄ）を有しており、
接合部材（１）（２）の突合せ部（３）又は重合せ部の裏面が前記受けローラ（22）の周面（22a）に当接支持されるとともに、突合せ部（３）又は重合せ部に前記回転するプローブ（12）が挿入された態様で、前記受けローラ（22）と前記プローブ（12）との間に介在配置された接合部材（１）（２）を、突合せ部（３）又は重合せ部が順次プローブ（12）を通過するように前記駆動装置（25）（26）によって移動させることにより、両接合部材（１）（２）を突合せ部（３）又は重合せ部において接合一体化することを特徴とする摩擦撹拌接合法。
【請求項９】
突合せ状態又は重合せ状態に配置した２個の接合部材（１）（２）の突合せ部（３）又は重合せ部に挿入される回転するプローブ（12）を有する接合工具（10）と、
前記接合工具（10）のプローブ（12）に対向して配置されるとともに、前記接合部材（１）（２）の突合せ部（３）又は重合せ部の裏面に当接する当接面を有する受け具（20）と、
前記受け具（20）と前記プローブ（12）との間に介在配置された前記接合部材（１）（２）を移動させる駆動装置（25）（26）とを準備し、
前記受け具（20）は、周面（23a）を当接面とした受けローラ（23）からなるとともに、プローブ（12）の配置位置に対して接合部材（１）（２）の移動方向前方側に相対的にずれた位置に配置されており、
接合部材（１）（２）の突合せ部（３）又は重合せ部の裏面が前記受けローラ（23）の周面（23a）に当接支持されるとともに、突合せ部（３）又は重合せ部に前記回転するプローブ（12）が挿入された態様で、前記受けローラ（23）と前記プローブ（12）との間に介在配置された接合部材（１）（２）を、突合せ部（３）又は重合せ部が順次プローブ（12）を通過するように前記駆動装置（25）（26）によって移動させることにより、両接合部材（１）（２）を突合せ部（３）又は重合せ部において接合一体化することを特徴とする摩擦撹拌接合法。
【請求項１０】
接合部材（１）（２）の突合せ部（３）又は重合せ部に前記回転するプローブ（12）が、該プローブ（12）の先端（12a）と、前記受けローラ（22）（23）の周面（22a）（23a）における接合部材（１）（２）の突合せ部（３）裏面との接触点（22b）（23b）との距離（δ）が０．０５〜０．４ｍｍの範囲になるように挿入された態様で、接合部材（１）（２）を前記駆動装置（25）（26）によって移動させる請求項８又は９記載の摩擦撹拌接合法。
【請求項１１】
請求項５〜１０のいずれか１項記載の摩擦撹拌接合法により接合された接合品。